(57)【要約】【課題】ヘアーカット時において梳く髪の量を容易に調節することができ、刃を効率的に利用可能な構造として理容サービスコストを削減することのできる理美容具を提供することである。【解決手段】把持部６と、刃３を備えて把持部６に連結されるレザー部１，２，３，４とからなる理美容具において、レザー部１，２，３，４は把持部６に連結するレザー保持部１と、一の辺に切欠き４ｂを備えた少なくとも２の第１の突出片４ａを形成しかつ一の辺と他の辺との間に刃３を保持しレザー保持部１に交換可能に取設される刃保持部４と、切欠き２ｂを備えた少なくとも２の第２の突出片２ａを形成する保護部２とを有し、第１の突出片４ａと第２の突出片２ａによって形成される隙間から刃３を露出させるものである。【選択図】  図１
2004337517.tif 000002
【特許請求の範囲】
【請求項１】
把持部と、刃を備えて前記把持部に連結されるレザー部とからなる理美容具において、前記レザー部は前記把持部に連結するレザー保持部と、一の辺に切欠きを備えた少なくとも２の第１の突出片を形成しかつ前記一の辺と他の辺との間に前記刃を保持し前記レザー保持部に交換可能に取設される刃保持部と、切欠きを備えた少なくとも２の第２の突出片を形成する保護部とを有し、前記第１の突出片と前記第２の突出片によって形成される隙間から前記刃を露出させることを特徴とする理美容具。
【請求項２】
前記刃保持部又は保護部は爪部を具備してなることを特徴とする請求項１記載の理容具。
【請求項３】
前記レザー保持部と前記保護部が一体に形成されてなることを特徴とする請求項１又は請求項２に記載の理美容具。
【請求項４】
前記刃の一部が切取り可能に具備されることを特徴とする請求項１乃至請求項３のいずれか１に記載の理美容具。
【請求項５】
前記把持部の前記レザー部とは反対側の端部に連結される保持部を有し、この保持部は替え刃あるいは櫛を交換可能に取設することを特徴とする請求項１乃至請求項４のいずれか１に記載の理美容具。
【請求項６】
前記把持部は指を挿入する指輪を形成してなることを特徴とする請求項１乃至請求項５のいずれか１に記載の理美容具。
【発明の詳細な説明】
【０００１】
【発明の属する技術分野】
本発明は、毛髪を梳く時に使用する理美容具に関する。
【０００２】
【従来の技術】
一般に、近年ではカラーリングやカット方法によって軽い質感や柔らかい質感をだすヘアースタイルや毛先に動きのあるヘアースタイルが好まれている。そして、このようなへアースタイルはシザーやレザーを用いて量の多い髪を梳く技法を用いることで創りだされている。
【０００３】しかしながら、レザーを用いて髪を梳く場合には力の加減や髪に対するレザーの角度によって梳かれる髪の量が変わってしまうため、熟練した技術が必要とされるという課題があった。また、髪をカットする場合には櫛で髪を梳かしてカットした髪を除去しながらカットするのが一般的であり、カット作業において櫛とレザーを交互に持ち替えなければならず作業が行いにくいという課題があった。
【０００４】このような課題に対処するため、いくつかの発明及び考案が開示されている。
例えば、特許文献１には、「理美容用レザーホルダー」という名称で、髪を梳く量を調節することのできるレザーに関する発明が開示されている。
【０００５】以下、図５を参照しながら、特許文献１に開示された技術について説明する。図５（ａ）は理美容用レザーホルダーを用いたカット時の毛髪梳き量の状態図であり、図５（ｂ）は（ａ）のカットされた毛髪の状態図である。
特許文献１に開示された理美容用レザーホルダーは、図５（ａ）に示すように把持部の一端に設けられた本体１３が髪をカットするレザー１４と、これを保持するホルダー部１５とから構成されている。また、ホルダー部１５の一辺には複数の突出片１６が形成されており、これの各先端には溝１７が設けられている。このため、このような構造の理美容用レザーホルダーを用いて髪を梳く場合には、溝１７に蓄えられた毛髪１８はカットされずレザー１４と接触している毛髪１８のみがカットされ、（ｂ）に示すように毛髪１８を部分的にカットすることができる。
【０００６】なお、図５には示していないが突出片１６の幅を変えることによって梳く髪の量を調節することも可能である。
【０００７】また、特許文献２には、「ヘアカット用レザー」という名称で、毛髪を一定間隔ごとに一定の幅で確実に削ぎ落とすことのできるヘアカット用レザーに関する発明が開示されている。
【０００８】以下、特許文献２に開示された技術について説明する。
特許文献２に開示されたヘアカット用レザーは、特許文献１の実施例を示す図４（ａ）と同形状のヘアカット用レザーにおいてレザー１４（特許文献２では刃と呼ばれている。）が本体１３（特許文献２では櫛部と呼ばれている。）に密着するように取付けられた構造となっている。刃と櫛部の間に隙間が生じる構造では切断しなくてもよい毛髪までもが刃に当たって切断されていたが、このような構造とすることで切断したい毛髪のみが刃に当たるため、切断したい部分の毛髪だけを確実に切断することができ、これにより所望のヘアースタイルを創ることができる。
【０００９】また、特許文献３には、「髪具」という名称で、櫛とレザーが一体となった髪具に関する発明が開示されている。
【００１０】以下、特許文献３に開示された技術について説明する。
特許文献３に開示された髪具は、櫛部と、髪の毛をカットするレザー部と、これらを連結するヒンジ部とから構成されており、ヒンジ部には指を挿入することのできる環状の指輪が設けられている。そのため、髪をカットする場合には環状の指輪に指を挿入して髪具を自由に回転させることで櫛部とレザー部を交互に使用することができる。これにより、櫛とレザーを持ち帰る作業が不要となるため、カット作業の効率を向上させることができる。また、櫛部はヒンジ部に対して着脱可能に設けられているので、様々な種類の櫛部をヒンジ部に取付けて使用することも可能である。
【００１１】
【特許文献１】
特開平１０−２４９０７５号公報
【特許文献２】
特開２０００−６１１７５号公報
【特許文献３】
特開２００１−３００１５９号公報
【００１２】
【発明が解決しようとする課題】
しかしながら、上述の従来の技術においては、特許文献１に開示された発明においては、ホルダー部に溝を具備した複数の突出片を設けることで髪の毛を部分的にカットでき、しかも、突出片の幅を変えることで梳く髪の毛の量を調節することができるものの、梳く毛髪の量の調整は幅の異なる突出片を有する同形状の理美容用レザーホルダーを用意しなければならず、これらを持ち替える作業を必要とするという課題があった。また、ホルダー部に保持された刃は毛髪をカットするのに使用する部分とホルダー部に隠れて使用されない部分とがあり、この使用されない部分を残したまま刃を交換するのは不経済であり理容サービスのコストを向上させる要因となるという課題があった。
【００１３】特許文献２に開示された発明においては、櫛部と刃を密着させた構造とすることで切断したい部分の毛髪のみを確実に切断することができるものの、特許文献１と同様に１つのヘアカット用レザーで梳く髪の量を調整可能には構成されておらず、櫛部に隠れた使用されない刃の部分を利用できるようなものでもなくサービスコストを向上させる要因となるという課題があった。
【００１４】特許文献３に開示された発明においては、櫛部とレザー部をヒンジ部を介して一体に設けることでカット作業を向上させることができるものの、特許文献１や２と同様の理由からサービスコストを向上させる要因を含んでいるという課題があった。
【００１５】本発明はかかる従来の事情に対処してなされたものであり、ヘアーカット時において梳く髪の量を容易に調節することができ、しかも刃を効率的に利用可能な構造として効率的にヘアーカットが可能で理容サービスコストも削減することのできる理美容具を提供することを目的とする。
【００１６】
【課題を解決するための手段】
上記目的を達成するため、請求項１記載の発明である理美容具は、把持部と、刃を備えて把持部に連結されるレザー部とからなる理美容具において、レザー部は把持部に連結するレザー保持部と、一の辺に切欠きを備えた少なくとも２の第１の突出片を形成しかつ一の辺と他の辺との間に刃を保持しレザー保持部に交換可能に取設される刃保持部と、切欠きを備えた少なくとも２の第２の突出片を形成する保護部とを有し、第１の突出片と第２の突出片によって形成される隙間から刃を露出させるものである。
上記構成の理美容具においては、第１の突出片と第２の突出片で刃を挟持する構造とすることで第１の突出片あるいは第２の突出片の一の辺に設けられた切欠きで切断したくない毛髪を保持し、第１の突出片と第２の突出片によって形成される隙間から露出される刃で残りの毛髪を切断するという作用を有する。
【００１７】また、請求項２記載の発明である理美容具は、請求項１記載の理美容具において刃保持部又は保護部が爪部を具備してなるものである。
上記構成の理美容具においては、刃保持部又は保護部に爪部を設けることでレザー保持部に対して刃保持部又は保護部をスライド可能とし、第１の突出片と第２の突出片によって形成される隙間の幅を調整可能とするという作用を有する。
【００１８】請求項３記載の発明である理美容具は、請求項１又は請求項２に記載の理容具においてレザー保持部と保護部が一体に形成されているものである。
上記構成の理美容具においては、部品数を削減するという作用を有する。
【００１９】また、請求項４記載の発明である理美容具は、請求項１乃至請求項３のいずれか１に記載の理美容具において刃の一部が切取り可能に具備されるものである。
上記構成の理美容具においては、刃保持部又は保護部をスライドさせて第１の突出片と第２の突出片の隙間から露出している刃の使用部分を端部側の突出片内に収容し、突出片内に隠れていた未使用の刃を露出させ、スライドによって刃保持部又は保護部の端部から露出した刃を切除するという作用を有する。
【００２０】請求項５記載の発明である理美容具は、請求項１乃至請求項４のいずれか１に記載の理美容具において把持部のレザー部とは反対側の端部に連結される保持部を有し、この保持部は替え刃あるいは櫛を交換可能に取設するものである。
上記構成の理美容具においては、一つの理容具でレザー部と他のレザーあるいは櫛とを併用しつつ用途によって適宜交換するという作用を有する。
【００２１】また、請求項６記載の発明である理美容具は、請求項１乃至請求項５のいずれか１に記載の理美容具において把持部は指を挿入する指輪を形成してなるものである。
上記構成の理美容具においては、理美容具が指輪に挿入した指を軸に回転し、ヘアーカット時にレザー保持部と保持部の位置を交換するという作用を有するとともに、指輪に指を挿入することで理美容具が手中に固定されるという作用を有する。
【００２２】
【発明の実施の形態】
以下に、本発明に係る理美容具の実施の形態を図１乃至図４に基づき説明する。
【００２３】（ａ）は本発明の実施の形態に係る理美容具の概念図であり、（ｂ）は図１（ａ）中符号Ａで示される方向への矢視図であり、（ｃ）は図１（ａ）中符号Ｂで示される方向への矢視図であり、（ｄ）は図１（ｂ）中のホルダー１とカバー２が一体となった状態の概念図である。
図１（ａ）において、理美容具は柄６と、この両端に設けられるホルダー１，８から構成され、ホルダー１，８にはそれぞれ毛髪を梳くためのレザー部、櫛９が取外し可能に設けられている。また、柄６中央部には技術者がカット作業時に指を挿入するリング７が設けられており、技術者はリング７に挿入した指を軸に理美容具を自在に回転できる構造となっている。
ホルダー１に取付けられ今回の発明の特徴でもあるレザー部は刃３を内包した刃保持板４と、刃３を挟むようにして刃保持板４の反対側に設けられたカバー２とから構成されており、刃保持板４及びカバー２の縁辺にはそれぞれ切欠き２ｂ，４ｂを具備した複数の突出片２ａ，４ａが設けられている。さらに、刃保持板４には凸状の爪５が具備されており、これに指を掛止して刃３を内包した刃保持板４をホルダー１内でスライドさせることができる構造となっている。このため、刃保持板４をスライドさせることで突出片２ａと突出片４ａとの間隔を変える、すなわち、突出片２ａと突出片４ａとの間から露出する刃３の幅を調節することができるようになっている。詳しい内容については図３を参照しながら説明する。
【００２４】また、図１（ｂ）に示すように、刃保持板４はホルダー１内に内包された構造となっており、爪５を用いてホルダー１内で図１（ｂ）の手前側にスライドさせてホルダー１から取外しができる構造となっている。ホルダー８においても図１（ｃ）に示すように櫛９がホルダー８内に内包された構造となっており、図１（ｃ）の手前側に櫛９をスライドさせて取り外すことができるため、他の形状の櫛やレザーの替え刃と取替えが可能な構造となっている。このため、図１（ａ）においては、ホルダー８には櫛９が装着されているが、櫛ではなくホルダー１とは別にレザーの替え刃を装着することも可能である。ホルダー１においても、同様の取替えを行うことができる。したがって、１つの理美容具において様々な形状の櫛やレザーを取替えて使用することができる。加えて、リング７を用いて理美容具を回転させることによりホルダー１，８に装着されたレザーと櫛、あるいは他の形状の櫛やレザーを交互に使用することができるため、複数種類の櫛やレザーを何度も持ち替える手間を減らしカット作業の効率を向上させることができる。また、リング７に指を挿入して理美容具を把持することで柄６を手中に固定しておくこともでき、作業中に理美容具が手中から容易に落下するのを防止することができる。これにより、さらにカット作業効率を上げることができるとともに、理美容具の落下による作業者の怪我や理美容具自体の破損を防ぐことができる。
【００２５】図１（ｄ）は図１（ａ）中のカバー２とホルダー１が一体となった状態の理美容具を示す図であり、符号１ａはこれに対応するホルダーである。図１（ａ）に示す理美容具ではカバー２とホルダー１が別々であったのでカバー２がホルダー１に対して取外しが可能であり、ホルダー８と同様にホルダー１にも櫛９や他の形状のレザーの替え刃を挿入することができるという利点があったが、図１（ｄ）に示すようにホルダー１とカバー２とを一体とすることによっては部品数を少なくして構造を簡略化できると同時に製造コストを削減できるという効果がある。
【００２６】図２（ａ）は図１（ａ）中の刃３、刃保持板４及びホルダー１を示す斜視図であり、図２（ｂ）は図２（ａ）中の爪５を他の形状にした例を示す概念図である。図２において、図１に記載されたものと同一部分については同一符号を付し、その構成についての説明は省略する。
図２（ａ）に示すように爪５の両サイドは凸状になっている。このため、カット作業中でも理美容具を手に持った状態でこの爪５の凸部分に理美容具を持った手の指を掛止してホルダー１内で刃保持板４をスライドさせて突出片２ａと突出片４ａとで形成される隙間の幅、つまり、刃３の露出幅を変えることができる。
【００２７】図２（ｂ）では図２（ａ）中の爪５のように凸部分を設ける代わりに、爪５ａに滑り止め５ｂを設けたものである。滑り止め５ｂとしては細溝を形成してもよいし、逆に細い凸状の山部を設けてもよい。このような形状とすることによっても、指１本で刃保持板４のスライド操作を行うことができ、片手のみで櫛とレザーの使い分け作業、カット作業及び露出する刃３幅の調節を行うことができ、作業効率を向上させることができる。
なお、爪５の設置位置は、柄６は反対側の端部に限定するものではないが、ヘアーカットに支障のない位置に設けることが必要である。また、図１や図２においては刃３が露出している部分に設置されているが、もちろん突出片４ａの部分に設けても構わない。ただ、髪を梳く方向に抵抗が少ないようにしておくとよい。
【００２８】ここで、図３を用いて毛髪の梳き量の調整方法について説明する。
図３（ａ）は本発明の実施の形態に係る理美容具のカバー２と刃保持板４が重なっている状態を示す概念図であり、図３（ｂ）は（ａ）でカットされた毛髪の状態図であり、図３（ｃ）は本発明の実施の形態に係る理美容具のカバー２と刃保持板４が重なっていない状態を示す概念図であり、図３（ｄ）は（ｃ）でカットされた毛髪の状態図である。図３において、図１及び図２に記載されたものと同一部分については同一符号を付し、その構成についての説明は省略する。
【００２９】本発明の理美容具を用いて毛髪を梳いた場合には一部の毛髪が切欠き２ｂ，４ｂに蓄えられて切断されずに残り、切欠き２ｂ，４ｂに蓄えられていない残りの毛髪のみが突出片２ａと突出片４ａの間から露出している刃３によってカットされる構造となっている。
したがって、図３（ａ）では、刃保持板４の突出片４ａとカバー２の突出片２ａとが重なっており、刃３は突出片４ａ，４ａの間隙３ａだけ露出しているので、図３（ｂ）に示すように突出片４ａに蓄えられた毛髪はカットされずに残り、刃３と接触する部分、つまり、間隙３ａと同様の幅の毛髪のみが部分的にカットされる。符号１０ａはカットされた毛髪の形状である。
【００３０】一方、図３（ｃ）は、刃保持板４の突出片４ａとカバー２の突出片２ａとが少しずれている状態であり、これは爪５に指を掛止してホルダー１内で刃保持板４をスライドさせることによってこの状態にすることができる。また、露出している刃３は図３（ａ）に示す間隙３ａよりも狭い間隙３ｂの部分のみであり、図３（ｃ）に示すように、突出片２ａと突出片４ａのいずれかにかかる部分、すなわち、間隙３ｃに蓄えられた毛髪はカットされずに残り、間隙３ｂの部分のみの毛髪がカットされる。これにより、図３（ｂ）の毛髪１０ａよりも梳き量の少ない毛髪１０ｂを得ることができる。
特許文献１に示すような理美容用レザーホルダーでは毛髪の梳き量を変えるには突出片の幅の異なるホルダー部を用意する必要があったが、本発明の理美容具では、ヘアーカット時にホルダー１内で刃保持板４をスライドさせることによって露出する刃３の幅を自在に変えることができ、これにより所望の梳き量で毛髪をカットすることができる。
【００３１】図４（ａ）は本発明の実施の形態に係る理美容具の刃を示す概念図であり、図４（ｂ）はホルダーに保持された刃を示す概念図であり、図４（ｃ）はホルダーに保持された刃をスライドさせた状態の概念図であり、図４（ｄ）は刃の一部を切り離した時の状態を示す概念図である。図４において、図１乃至図３に記載されたものと同一部分については同一符号を付し、その構成についての説明は省略する。
図４（ａ）に示すように刃３の一部には切り込み１１が設けられている。そのため、図４（ｂ）に示す状態で繰り返し刃３を使用して露出した刃３の部分の切れ味が鈍くなった場合には、まず爪５に指等を掛止して刃保持板４をスライドさせ、ホルダー１から刃保持板４を取外す。そして、刃保持板４を矢印Ｂの方向へとスライドさせて刃３の古くなった部分が突出片４ａの後部に収容されるようにし、さらに、切り込み１１が刃保持板４の端部にくるようにする。これにより、図４（ｂ）で突出片４ａの後部に収容されていた未使用の刃３が隣接する突出片４ａの間に露出される。図４（ｃ）はその状態を示している。そして、図４（ｄ）に示すように、切り込み１１部分から刃片１２、すなわち、古くなった刃３の一部を切り離すことで図４（ｂ）とほぼ同一の構造となるので、残りの刃保持板４及び刃３をホルダー１に再び挿入して使用することが可能となる。
したがって、特許文献１及び特許文献２に示すようなヘアーレザーでは、突出片等の隙間から露出している刃が古くなってしまうと刃全体を交換しなければならず替え刃にコストがかかっていたが、本実施の形態に係る理美容具では刃保持板４をスライドさせることで、突出片４ａの後部に収容されていた刃３の未使用部分を隣接する突出片４ａ間に露出させて使用し、交換の際には刃３の未使用部分がないように最大限に使用することができる。これにより、理容サービスのコストも大幅に削減することができる。
【００３２】
【発明の効果】
以上説明したように、本発明の請求項１に記載の理美容具においては、第１の突出片と第２の突出片との隙間から露出する刃の幅と同様の毛髪量を部分的に切断することができる。
【００３３】また、本発明の請求項２に記載の理美容具においては、請求項１の発明に加えて、第１の突出片と第２の突出片によって形成される隙間の幅、すなわち、露出する刃の幅を調整可能とすることで所望の量の毛髪を梳くことができるとともに、刃の露出幅の異なる理美容具を複数用意して作業時にこれらを持ち替える手間を省くことができる。
【００３４】特に、本発明の請求項３に記載の理美容具においては、レザー保持部と保護部を一体に設けることで部品数を減らしてコストを削減することができる。
【００３５】本発明の請求項４に記載の理美容具においては、刃の一部を切取り可能に設けることで刃を有効に使用することができ、コストを削減することができる。
【００３６】本発明の請求項５に記載の理美容具においては、レザー部と保持部を把持部を介して連結させることで毛髪カット時にレザー及び櫛等を持ち替える手間を省くことができ、作業効率を向上させることができる。
【００３７】最後に、本発明の請求項６に記載の理美容具においては、請求項５の効果に加えて把持部に指を挿入する指輪を形成することでこれに指を挿入して理美容具を自在に回転させながら毛髪のカット作業を行うことができる。これにより、櫛とレザーの持ち替え作業、毛髪のカット作業及び露出する刃の幅調整作業を片手操作を行うことができ、これによっても作業効率をより向上させることができる。
さらに、指輪に指を挿入して理美容具を把持することで、カット作業中に理美容具が手中から落下するのを防止し、作業者の怪我や理美容具の破損を防ぐことができる。
【図面の簡単な説明】
【図１】（ａ）は本発明の実施の形態に係る理美容具の概念図であり、（ｂ）は図１（ａ）中符号Ａで示される方向への矢視図であり、（ｃ）は図１（ａ）中符号Ｂで示される方向への矢視図であり、（ｄ）は図１（ｂ）中のホルダー１とカバー２が一体となった状態の概念図である。
【図２】（ａ）は図１（ａ）中の刃３、刃保持板４及びホルダー１を示す斜視図であり、（ｂ）は図２（ａ）中の爪５を他の形状にした例を示す概念図である。
【図３】（ａ）は本発明の実施の形態に係る理美容具のカバー２と刃保持板４が重なっている状態を示す概念図であり、（ｂ）は（ａ）でカットされた毛髪の状態図であり、（ｃ）は本発明の実施の形態に係る理美容具のカバー２と刃保持板４が重なっていない状態を示す概念図であり、（ｄ）は（ｃ）でカットされた毛髪の状態図である。
【図４】（ａ）は本発明の実施の形態に係る理美容具の刃を示す概念図であり、（ｂ）はホルダーに保持された刃を示す概念図であり、（ｃ）はホルダーに保持された刃をスライドさせた状態の概念図であり、（ｄ）は刃の一部を切り離した時の状態を示す概念図である。
【図５】（ａ）は従来技術に係る理美容用レザーホルダーを用いたカット時の毛髪梳き量の状態図であり、（ｂ）は（ａ）のカットされた毛髪の状態図である。
【符号の説明】
１，１ａ…ホルダー  ２…カバー  ２ａ…突出片  ２ｂ…切欠き  ３…刃  ３ａ，３ｂ，３ｃ…間隙  ４…刃保持板  ４ａ…突出片  ４ｂ…切欠き  ５，５ａ…爪  ５ｂ…滑り止め  ６…柄  ７…リング  ８…ホルダー  ９…櫛  １０ａ，１０ｂ…毛髪  １１…切り込み  １２…刃片  １３…本体  １４…レザー  １５…ホルダー部  １６…突出片  １７…溝  １８…毛髪
【図１】
2004337517.tif 000003
【図２】
2004337517.tif 000004
【図３】
2004337517.tif 000005
【図４】
2004337517.tif 000006
【図５】
2004337517.tif 000007
【手続補正書】
【提出日】平成15年10月14日(2003.10.14)
【手続補正１】
【補正対象書類名】明細書
【補正対象項目名】特許請求の範囲
【補正方法】変更
【補正の内容】
【特許請求の範囲】
【請求項１】
把持部と、刃を備えて前記把持部に連結されるレザー部とからなる理美容具において、前記レザー部は前記把持部に連結するレザー保持部と、切欠きを備えた櫛歯状の第１の突出片を形成するとともに前記刃を保持し前記レザー保持部に交換可能に取設される刃保持部と、切欠きを備えた櫛歯状の第２の突出片を形成し前記刃保持部とは別個独立に設けられる保護部とを有し、前記第１の突出片と前記第２の突出片によって形成される隙間から前記刃を露出させることを特徴とする理美容具。
【請求項２】
前記刃保持部又は保護部は、指を掛止してスライドさせるための爪部を具備してなることを特徴とする請求項１記載の理美容具。
【請求項３】
前記レザー保持部と前記保護部が一体に形成されてなることを特徴とする請求項１又は請求項２に記載の理美容具。
【請求項４】
前記刃の一の端部が、１つの前記第１の突出片長さと略同一の長さに亘って切取り可能に具備されることを特徴とする請求項１乃至請求項３のいずれか１に記載の理美容具。
【請求項５】
前記把持部の前記レザー部とは反対側の端部に連結される保持部を有し、この保持部は替え刃あるいは櫛を交換可能に取設することを特徴とする請求項１乃至請求項４のいずれか１に記載の理美容具。
【請求項６】
前記把持部は指を挿入する指輪を形成してなることを特徴とする請求項１乃至請求項５のいずれか１に記載の理美容具。
【手続補正２】
【補正対象書類名】明細書
【補正対象項目名】００１６
【補正方法】変更
【補正の内容】
【００１６】
【課題を解決するための手段】
上記目的を達成するため、請求項１記載の発明である理美容具は、把持部と、刃を備えて把持部に連結されるレザー部とからなる理美容具において、レザー部は把持部に連結するレザー保持部と、切欠きを備えた櫛歯状の第１の突出片を形成するとともに刃を保持しレザー保持部に交換可能に取設される刃保持部と、切欠きを備えた櫛歯状の第２の突出片を形成し前記刃保持部とは別個独立に設けられる保護部とを有し、第１の突出片と第２の突出片によって形成される隙間から刃を露出させるものである。
上記構成の理美容具においては、第１の突出片と第２の突出片で刃を挟持する構造とすることで第１の突出片あるいは第２の突出片に設けられた切欠きで切断したくない毛髪を保持し、第１の突出片と第２の突出片によって形成される隙間から露出される刃で残りの毛髪を切断するという作用を有する。


【手続補正３】
【補正対象書類名】明細書
【補正対象項目名】００１７
【補正方法】変更
【補正の内容】
【００１７】
また、請求項２記載の発明である理美容具は、請求項１記載の理美容具において刃保持部又は保護部が、指を掛止してスライドさせるための爪部を具備してなるものである。
上記構成の理美容具においては、刃保持部又は保護部に爪部を設けることでレザー保持部に対して刃保持部又は保護部をスライド可能とし、第１の突出片と第２の突出片によって形成される隙間の幅を調整可能とするという作用を有する。


【手続補正４】
【補正対象書類名】明細書
【補正対象項目名】００１９
【補正方法】変更
【補正の内容】
【００１９】
また、請求項４記載の発明である理美容具は、請求項１乃至請求項３のいずれか１に記載の理美容具において刃の一の端部が、１つの前記第１の突出片長さと略同一の長さに亘って切取り可能に具備されるものである。
上記構成の理美容具においては、刃保持部又は保護部をスライドさせて第１の突出片と第２の突出片の隙間から露出している刃の使用部分を端部側の突出片内に収容し、突出片内に隠れていた未使用の刃を露出させ、スライドによって刃保持部又は保護部の端部から露出した刃を切除するという作用を有する。


【手続補正５】
【補正対象書類名】明細書
【補正対象項目名】００２３
【補正方法】変更
【補正の内容】
【００２３】
（ａ）は本発明の実施の形態に係る理美容具の概念図であり、（ｂ）は図１（ａ）中符号Ａで示される方向への矢視図であり、（ｃ）は図１（ａ）中符号Ｂで示される方向への矢視図であり、（ｄ）は図１（ｂ）中のレザー保持部１と保護部２が一体となった状態の概念図である。
図１（ａ）において、理美容具は把持部６と、この両端に設けられるレザー保持部１と保持部８から構成され、レザー保持部１と保持部８にはそれぞれ毛髪を梳くためのレザーユニット、櫛９が取外し可能に設けられている。また、把持部６中央部には技術者がカット作業時に指を挿入するリング７が設けられており、技術者はリング７に挿入した指を軸に理美容具を自在に回転できる構造となっている。
レザー保持部１に取付けられ今回の発明の特徴でもあるレザーユニットは刃３を内包した刃保持部４と、刃３を挟むようにして刃保持部４の反対側に設けられた保護部２とから構成されており、刃保持部４及び保護部２の縁辺にはそれぞれ切欠き２ｂ，４ｂを具備した複数の突出片２ａ，４ａが設けられている。さらに、刃保持部４には凸状の爪５が具備されており、これに指を掛止して刃３を内包した刃保持部４をレザー保持部１内でスライドさせることができる構造となっている。このため、刃保持部４をスライドさせることで突出片２ａと突出片４ａとの間隔を変える、すなわち、突出片２ａと突出片４ａとの間から露出する刃３の幅を調節することができるようになっている。詳しい内容については図３を参照しながら説明する。なお、特許請求の範囲におけるレザー部は、レザー保持部１とレザーユニットを含むものである。
【手続補正６】
【補正対象書類名】明細書
【補正対象項目名】００２４
【補正方法】変更
【補正の内容】
【００２４】
また、図１（ｂ）に示すように、刃保持部４はレザー保持部１内に内包された構造となっており、爪５を用いてレザー保持部１内で図１（ｂ）の手前側にスライドさせてレザー保持部１から取外しができる構造となっている。保持部８においても図１（ｃ）に示すように櫛９が保持部８内に内包された構造となっており、図１（ｃ）の手前側に櫛９をスライドさせて取り外すことができるため、他の形状の櫛やレザーの替え刃と取替えが可能な構造となっている。このため、図１（ａ）においては、保持部８には櫛９が装着されているが、櫛ではなくレザー保持部１とは別にレザーの替え刃を装着することも可能である。レザー保持部１においても、同様の取替えを行うことができる。したがって、１つの理美容具において様々な形状の櫛やレザーを取替えて使用することができる。加えて、リング７を用いて理美容具を回転させることによりレザー保持部１及び保持部８にそれぞれ装着されたレザーと櫛、あるいは他の形状の櫛やレザーを交互に使用することができるため、複数種類の櫛やレザーを何度も持ち替える手間を減らしカット作業の効率を向上させることができる。また、リング７に指を挿入して理美容具を把持することで把持部６を手中に固定しておくこともでき、作業中に理美容具が手中から容易に落下するのを防止することができる。これにより、さらにカット作業効率を上げることができるとともに、理美容具の落下による作業者の怪我や理美容具自体の破損を防ぐことができる。


【手続補正７】
【補正対象書類名】明細書
【補正対象項目名】００２５
【補正方法】変更
【補正の内容】
【００２５】
図１（ｄ）は図１（ａ）中の保護部２とレザー保持部１が一体となった状態の理美容具を示す図であり、符号１ａはこれに対応するレザー保持部である。図１（ａ）に示す理美容具では保護部２とレザー保持部１が別々であったので保護部２がレザー保持部１に対して取外しが可能であり、保持部８と同様にレザー保持部１にも櫛９や他の形状のレザーの替え刃を挿入することができるという利点があったが、図１（ｄ）に示すようにレザー保持部１と保護部２とを一体とすることによっては部品数を少なくして構造を簡略化できると同時に製造コストを削減できるという効果がある。


【手続補正８】
【補正対象書類名】明細書
【補正対象項目名】００２６
【補正方法】変更
【補正の内容】
【００２６】
図２（ａ）は図１（ａ）中の刃３、刃保持部４及びレザー保持部１を示す斜視図であり、図２（ｂ）は図２（ａ）中の爪５を他の形状にした例を示す概念図である。図２において、図１に記載されたものと同一部分については同一符号を付し、その構成についての説明は省略する。
図２（ａ）に示すように爪５の両サイドは凸状になっている。このため、カット作業中でも理美容具を手に持った状態でこの爪５の凸部分に理美容具を持った手の指を掛止してレザー保持部１内で刃保持部４をスライドさせて突出片２ａと突出片４ａとで形成される隙間の幅、つまり、刃３の露出幅を変えることができる。


【手続補正９】
【補正対象書類名】明細書
【補正対象項目名】００２７
【補正方法】変更
【補正の内容】
【００２７】
図２（ｂ）では図２（ａ）中の爪５のように凸部分を設ける代わりに、爪５ａに滑り止め５ｂを設けたものである。滑り止め５ｂとしては細溝を形成してもよいし、逆に細い凸状の山部を設けてもよい。このような形状とすることによっても、指１本で刃保持部４のスライド操作を行うことができ、片手のみで櫛とレザーの使い分け作業、カット作業及び露出する刃３幅の調節を行うことができ、作業効率を向上させることができる。
なお、爪５の設置位置は、把持部６は反対側の端部に限定するものではないが、ヘアーカットに支障のない位置に設けることが必要である。また、図１や図２においては刃３が露出している部分に設置されているが、もちろん突出片４ａの部分に設けても構わない。ただ、髪を梳く方向に抵抗が少ないようにしておくとよい。


【手続補正１０】
【補正対象書類名】明細書
【補正対象項目名】００２８
【補正方法】変更
【補正の内容】
【００２８】
ここで、図３を用いて毛髪の梳き量の調整方法について説明する。
図３（ａ）は本発明の実施の形態に係る理美容具の保護部２と刃保持部４が重なっている状態を示す概念図であり、図３（ｂ）は（ａ）でカットされた毛髪の状態図であり、図３（ｃ）は本発明の実施の形態に係る理美容具の保護部２と刃保持部４が重なっていない状態を示す概念図であり、図３（ｄ）は（ｃ）でカットされた毛髪の状態図である。図３において、図１及び図２に記載されたものと同一部分については同一符号を付し、その構成についての説明は省略する。


【手続補正１１】
【補正対象書類名】明細書
【補正対象項目名】００２９
【補正方法】変更
【補正の内容】
【００２９】
本発明の理美容具を用いて毛髪を梳いた場合には一部の毛髪が切欠き２ｂ，４ｂに蓄えられて切断されずに残り、切欠き２ｂ，４ｂに蓄えられていない残りの毛髪のみが突出片２ａと突出片４ａの間から露出している刃３によってカットされる構造となっている。
したがって、図３（ａ）では、刃保持部４の突出片４ａと保護部２の突出片２ａとが重なっており、刃３は突出片４ａ，４ａの間隙３ａだけ露出しているので、図３（ｂ）に示すように突出片４ａに蓄えられた毛髪はカットされずに残り、刃３と接触する部分、つまり、間隙３ａと同様の幅の毛髪のみが部分的にカットされる。符号１０ａはカットされた毛髪の形状である。


【手続補正１２】
【補正対象書類名】明細書
【補正対象項目名】００３０
【補正方法】変更
【補正の内容】
【００３０】
一方、図３（ｃ）は、刃保持部４の突出片４ａと保護部２の突出片２ａとが少しずれている状態であり、これは爪５に指を掛止してレザー保持部１内で刃保持部４をスライドさせることによってこの状態にすることができる。また、露出している刃３は図３（ａ）に示す間隙３ａよりも狭い間隙３ｂの部分のみであり、図３（ｃ）に示すように、突出片２ａと突出片４ａのいずれかにかかる部分、すなわち、間隙３ｃに蓄えられた毛髪はカットされずに残り、間隙３ｂの部分のみの毛髪がカットされる。これにより、図３（ｂ）の毛髪１０ａよりも梳き量の少ない毛髪１０ｂを得ることができる。
特許文献１に示すような理美容用レザーホルダーでは毛髪の梳き量を変えるには突出片の幅の異なるホルダー部を用意する必要があったが、本発明の理美容具では、ヘアーカット時にレザー保持部１内で刃保持部４をスライドさせることによって露出する刃３の幅を自在に変えることができ、これにより所望の梳き量で毛髪をカットすることができる。


【手続補正１３】
【補正対象書類名】明細書
【補正対象項目名】００３１
【補正方法】変更
【補正の内容】
【００３１】
図４（ａ）は本発明の実施の形態に係る理美容具の刃を示す概念図であり、図４（ｂ）はレザー保持部に保持された刃を示す概念図であり、図４（ｃ）はレザー保持部に保持された刃をスライドさせた状態の概念図であり、図４（ｄ）は刃の一部を切り離した時の状態を示す概念図である。図４において、図１乃至図３に記載されたものと同一部分については同一符号を付し、その構成についての説明は省略する。
図４（ａ）に示すように刃３の一部には切り込み１１が設けられている。そのため、図４（ｂ）に示す状態で繰り返し刃３を使用して露出した刃３の部分の切れ味が鈍くなった場合には、まず爪５に指等を掛止して刃保持部４をスライドさせ、レザー保持部１から刃保持部４を取外す。そして、刃保持部４を矢印Ｂの方向へとスライドさせて刃３の古くなった部分が突出片４ａの後部に収容されるようにし、さらに、切り込み１１が刃保持部４の端部にくるようにする。これにより、図４（ｂ）で突出片４ａの後部に収容されていた未使用の刃３が隣接する突出片４ａの間に露出される。図４（ｃ）はその状態を示している。そして、図４（ｄ）に示すように、切り込み１１部分から刃片１２、すなわち、古くなった刃３の一部を切り離すことで図４（ｂ）とほぼ同一の構造となるので、残りの刃保持部４及び刃３をレザー保持部１に再び挿入して使用することが可能となる。
したがって、特許文献１及び特許文献２に示すようなヘアーレザーでは、突出片等の隙間から露出している刃が古くなってしまうと刃全体を交換しなければならず替え刃にコストがかかっていたが、本実施の形態に係る理美容具では刃保持部４をスライドさせることで、突出片４ａの後部に収容されていた刃３の未使用部分を隣接する突出片４ａ間に露出させて使用し、交換の際には刃３の未使用部分がないように最大限に使用することができる。これにより、理容サービスのコストも大幅に削減することができる。


【手続補正１４】
【補正対象書類名】明細書
【補正対象項目名】図面の簡単な説明
【補正方法】変更
【補正の内容】
【図面の簡単な説明】
【図１】（ａ）は本発明の実施の形態に係る理美容具の概念図であり、（ｂ）は図１（ａ）中符号Ａで示される方向への矢視図であり、（ｃ）は図１（ａ）中符号Ｂで示される方向への矢視図であり、（ｄ）は図１（ｂ）中のレザー保持部１と保護部２が一体となった状態の概念図である。
【図２】（ａ）は図１（ａ）中の刃３、刃保持部４及びレザー保持部１を示す斜視図であり、（ｂ）は図２（ａ）中の爪５を他の形状にした例を示す概念図である。
【図３】（ａ）は本発明の実施の形態に係る理美容具の保護部２と刃保持部４が重なっている状態を示す概念図であり、（ｂ）は（ａ）でカットされた毛髪の状態図であり、（ｃ）は本発明の実施の形態に係る理美容具の保護部２と刃保持部４が重なっていない状態を示す概念図であり、（ｄ）は（ｃ）でカットされた毛髪の状態図である。
【図４】（ａ）は本発明の実施の形態に係る理美容具の刃を示す概念図であり、（ｂ）はレザー保持部に保持された刃を示す概念図であり、（ｃ）はレザー保持部に保持された刃をスライドさせた状態の概念図であり、（ｄ）は刃の一部を切り離した時の状態を示す概念図である。
【図５】（ａ）は従来技術に係る理美容用レザーレザー保持部を用いたカット時の毛髪梳き量の状態図であり、（ｂ）は（ａ）のカットされた毛髪の状態図である。
【符号の説明】
１，１ａ…レザー保持部  ２…保護部  ２ａ…突出片  ２ｂ…切欠き  ３…刃  ３ａ，３ｂ，３ｃ…間隙  ４…刃保持部  ４ａ…突出片  ４ｂ…切欠き  ５，５ａ…爪  ５ｂ…滑り止め  ６…把持部  ７…リング  ８…保持部  ９…櫛  １０ａ，１０ｂ…毛髪  １１…切り込み  １２…刃片  １３…本体  １４…レザー  １５…ホルダー部  １６…突出片  １７…溝  １８…毛髪